(57)【要約】【課題】利用者の簡単な操作で複数の家電機器を制御し、かつ利用者の設定変更に対応するネットワーク型の家電機器制御装置を提供する。【解決手段】利用者が操作を行う操作手段と、１つ以上の家電機器に対し前記家電機器を制御する制御信号を発信する発信手段とを備えた家電機器制御装置において、利用者が前記操作手段に対する一度の操作を行うことで、複数の家電機器を制御する制御信号を前記発信手段から前記複数の家電機器へ発信する家電機器制御装置とする。【選択図】  図１
2005051376.tif 000002
【特許請求の範囲】
【請求項１】
利用者が操作を行う操作手段と、１つ以上の家電機器に対し前記家電機器を制御する制御信号を発信する発信手段とを備えた家電機器制御装置において、
利用者が前記操作手段に対して一度の操作を行うことで、複数の家電機器を制御する制御信号を前記発信手段から前記複数の家電機器へ発信することを特徴とする家電機器制御装置。
【請求項２】
前記操作手段が前記家電機器制御装置とは別体の携帯型操作手段であって、
前記携帯型操作手段は利用者の操作した内容を前記家電機器制御装置に無線信号として送信する無線通信手段を備え、
前記家電機器制御装置は前記携帯型操作手段から送信された無線信号を受信する受信手段を備え、
前記家電機器制御装置は前記無線信号に基づいた制御信号を、前記発信手段により前記家電機器へ発信することを特徴とする請求項１記載の家電機器制御装置。
【請求項３】
請求項１記載の家電機器制御装置において、
前記操作手段と対応する家電機器の設定を、前記家電制御装置とネットワークで接続された情報処理装置を用いて変更することを特徴とする家電機器制御装置用の制御プログラム。
【請求項４】
請求項１記載の家電機器制御装置において、
利用者が前記操作手段を用いて操作した内容を前記センタサーバ用の制御情報に変換する変換手段と、前記センタサーバへ前記制御情報を送信する送信手段を備えたことを特徴とする家電機器制御装置。
【請求項５】
請求項４記載の家電機器制御装置とネットワークを介して接続されたセンタサーバにおいて、
前記家電機器制御装置から受信した制御情報に基づいて家電機器の動作状態一覧情報を作成することを特徴とするセンタサーバ用の制御プログラム。
【請求項６】
センタサーバが作成した前記動作状態一覧情報と、あらかじめ設定された異常検知条件情報に基づいて、前記家電機器の設置場所で異常状態を検出したことをあらかじめ設定された異常通知先に通知することを特徴とする請求項５記載のセンタサーバ用の制御プログラム。
【請求項７】
請求項１記載の家電機器制御装置において、
家電機器の動作状態に変化があったときに前記家電機器から状態変化を示す状態変化信号を受信する第２の受信手段と、前記状態変化信号を前記センタサーバ用の状態変化情報に変換する変換手段と、前記センタサーバへ前記状態変化情報を送信する送信手段を備えたことを特徴とする家電機器制御装置。
【請求項８】
請求項７記載の家電機器制御装置にネットワークを介して接続されたセンタサーバにおいて、
前記家電機器制御装置から受信した状態変化情報に基づいて家電機器の動作状態一覧情報を作成することを特徴とするセンタサーバ用の制御プログラム。
【請求項９】
センタサーバが作成した前記動作状態一覧情報と、あらかじめ設定された異常検知条件情報に基づいて、前記家電機器の設置場所で異常状態を検出したことをあらかじめ設定された異常通知先に通知することを特徴とする請求項８記載のセンタサーバ用の制御プログラム。
【請求項１０】
１つ以上の家電機器の動作を制御する家電機器制御装置において、
前記家電機器制御装置を管理するセンタサーバとネットワークを介して接続され、前記センタサーバに対して前記家電機器に対応する制御信号の有無を確認し、前記家電機器に対応する制御信号が前記センタサーバに存在する場合は、前記制御信号を前記センタサーバから受信して前記家電機器を制御することを特徴とする家電機器制御装置。
【請求項１１】
請求項１０記載の家電機器制御装置において、
前記センタサーバから前記家電機器に対応する制御信号を受信して前記家電機器を制御するとき、前記家電機器を制御する時刻または相対時間を指定して制御を行うことを特徴とする家電機器制御装置。
【請求項１２】
異なる場所に設置された複数の請求項１１記載の家電機器制御装置とネットワークを介して接続されたセンタサーバにおいて、
前記家電機器に対する制御信号を登録した利用者が指定した時刻情報，前記センタサーバに登録されている複数の前記家電制御装置の通信記録情報、または複数の前記家電機器制御装置の設置場所情報のいずれかに基づいて、複数の前記家電機器制御装置が各々制御対象とする前記家電機器を制御する時刻または相対時間を決定することを特徴とするセンタサーバ用の制御プログラム。
【発明の詳細な説明】
【０００１】
【発明の属する技術分野】
本発明は、家電機器制御装置と制御プログラムに関するものである。
【０００２】
【従来の技術】
従来より家庭等で家電機器を制御する技術は、赤外線通信を用いたリモコンによる制御が一般的に知られている。赤外線リモコンを用いることにより、家電機器本体の設置場所まで移動しなくとも、離れた場所から家電機器の操作を行うことができるため、利便性を確保できる。また、学習型と呼ばれる赤外線リモコンの発信する赤外線信号を読み取って記録し、再現することが可能な機器により、複数の異なる家電機器の制御信号を１つの端末で行うこともできる。また、近年ではホームネットワークを利用した家電機器制御システムにおいて、家庭内の機器を様々な場所から制御することが可能となっている（例えば特許文献１）。
【０００３】
【特許文献１】
特開２００２−２９１０５８号公報
【０００４】
【発明が解決しようとする課題】
しかしながら、赤外線リモコンや学習型リモコンは、赤外線の届く範囲の機器のみが制御可能であり、利用者がいる部屋とは別の場所にある機器を制御することは、壁などの遮蔽物があるために難しい。さらに学習型リモコンにおいては、学習させるための手間が必要である。また、ホームネットワークを利用した家電制御システムも、一度のボタン操作によって、１つの家電機器の１つの動作を制御できるだけであり、複数の家電機器の複数の動作制御を一度の操作で制御することはできない。本発明の目的は、家電機器を制御するための制御端末装置を簡易にし、かつ、利用者が制御端末装置の設定内容を変更可能にすることで、家電機器の制御の自由度と利便性を確保しつつ容易に利用可能な家電機器制御端末を提供することにある。
【０００５】
【課題を解決するための手段】
本発明は、上記課題を解決するために、利用者が操作可能な操作インタフェースを備え、利用者が前記操作インタフェースを操作することにより少なくとも１つ以上の家電機器を制御する制御信号を発信する家電機器制御端末において、前記家電機器制御端末に備えられた操作インタフェースの一度の操作により複数の家電機器を制御する手段を備える。
【０００６】
【発明の実施の形態】
以下、本発明の実施例を図面を用いて説明する。
【０００７】
図１は、本実施例の全体構成である。
【０００８】
家電機器制御端末であるコントローラ１は、サブコントローラ２からの制御信号を受け取り、家電機器３を制御する。通信方式としては、赤外線通信であるが、特に赤外線通信に限定するものでなく、無線通信であれば良い。また、コントローラ１はパソコン４とＬＡＮで接続され、宅外のセンタサーバ５とはインターネットなどのネットワークを介して接続される。更にセンタサーバ５は、インターネット，無線通信手段を介して携帯電話６と接続される。なお図１においては、家電機器３はエアコンを示したが、テレビや照明などの他の家電機器であっても良い。
【０００９】
サブコントローラ２による家電機器３の制御手順について説明する。
【００１０】
サブコントローラ２には、ボタン７が配置され、ユーザがボタン７を押下することで、コントローラ１に対して操作信号が発信される。コントローラ１は、サブコントローラ２から発信される操作信号を受け取り、あらかじめコントローラ１の内部に設定されている情報を参照して、どの家電機器をどのように制御するかを決定してから、家電機器３に対して家電機器制御信号を発信する。家電機器３は、コントローラ１からの制御信号を受け取って、制御信号に応じた所定の動作を行う。
【００１１】
以上の手順を、図２を用いて説明する。図２は、コントローラ１とサブコントローラ２と家電機器３の内部構成の概略図である。
【００１２】
コントローラ１には、設定記憶部１１，信号処理部１２および家電通信処理部１３が含まれる。サブコントローラ２には、入力処理部２１および家電通信処理部２２が含まれる。家電機器３には、機器制御処理部３１および家電通信処理部３２が含まれる。
【００１３】
ユーザがサブコントローラ２に備わったボタン７を押すと、入力処理部２１が検知する。入力処理部２１は、ボタンが押下されたことを示す操作信号を生成し、通信処理部２２に渡す。通信処理部２２は、操作信号をコントローラ１の家電通信処理部１３に伝える。通信処理部２２からの信号は、図１に示すサブコントローラにおいて赤外線通信にて行われる。家電通信処理部１３は、受け取った操作信号を信号処理部１２に伝える。信号処理部１２は、受け取った操作信号に対応する家電機器制御信号が何であるかを記録した図５に示すような制御信号対応情報５０１を設定記憶部１１から読み出す。制御信号対応情報５０１には、操作信号に含まれる機器番号と押下されたサブコントローラ２のボタン７に対応する信号番号、および制御する家電機器３に対して発信するための家電機器制御信号に含まれる対象機器と信号種別が含まれる。読み出された制御信号対応情報５０１に基づいて、信号処理部１２は、家電通信処理部１３に家電機器３に対する制御信号を発信する。家電通信処理部１３は、家電通信処理部３２に制御信号を伝える。制御信号は、図１において赤外線通信にて行われる。制御信号を受け取った家電通信処理部３２は、機器制御処理部３１に制御信号を伝え、この信号に基づいて家電機器３の制御を行う。
【００１４】
サブコントローラ２には、本実施例ではボタン７が備わっているが、ボタン以外の操作インタフェースでも良く、タッチパネルを供えた携帯端末型のものや、音声入力インタフェースを備えたもの、あるいはカメラを備えたジェスチャー入力インタフェースを備えたものなどでもよい。また、サブコントローラ２に備わっているボタン７は、コントローラ１にも備わっていて良く、ボタンを押下したときのコントローラ１の動作はサブコントローラ２のボタン７を押下したときの動作と同様である。
【００１５】
また、図４に示すように、コントローラ１またはサブコントローラ２に備わっているボタンを押すことで、複数の家電機器を一度の操作で制御することができる。例えば、図５の制御信号対応情報５０１には、家電機器３ａおよび家電機器３ｂに関する情報が含まれており、いずれも機器番号Ｋ１に対して信号番号Ｓ１となっており、サブコントローラ２のボタン７が押されることで、家電機器３ａと家電機器３ｂに対して、順次「電源ＯＦＦ」の信号が送られる。これを受け取った家電機器３ａと家電機器３ｂはそれぞれ、「電源ＯＦＦ」に対応する制御を行う。この例では、制御する家電機器は２つであるが、それ以上の家電機器が対象であってもよい。
【００１６】
またユーザは、外出先等から携帯電話６を用いてセンタサーバ５と通信を行い、ユーザ宅の家電機器の操作を行うことができる。携帯電話６には、表示画面が備わっており、ユーザは携帯電話６を用いてセンタサーバ５と通信すると、図１２に示すようなユーザ宅の家電機器操作を行うための画面１１０１が表示される。ユーザの操作内容は、センタサーバ５に保存され、コントローラ１がセンタサーバ５と通信したときに、保存されている操作内容を読み取り、操作内容にしたがって家電機器３を制御する。
【００１７】
以上の手順を、図１３を用いて説明する。図１３は、コントローラ１とセンタサーバ５と家電機器３と携帯電話６の構成を示す概略図である。
【００１８】
コントローラ１には、設定記憶部１１，信号処理部１２，家電通信処理部１３および情報通信処理部１４が含まれる。家電機器３には、機器制御処理部３１および家電通信処理部３２が含まれる。センタサーバ５には、電文処理部５１，情報通信処理部５２および電文記憶部５３が含まれる。携帯電話６には、情報通信処理部６１，表示処理部６２および入力処理部６３が含まれる。
【００１９】
ユーザが携帯電話６を操作して、入力処理部６３を通じてセンタサーバ５との通信開始を指示すると、情報通信処理部６１はセンタサーバ５の情報通信処理部５２を通じて、電文処理部５１に携帯電話６に表示する画面情報を要求する。電文処理部５１は、電文記憶部５３から要求された画面情報を読み出し、情報通信処理部５２を通じて情報通信処理部６１に渡す。情報通信処理部６１は受け取った画面情報を表示処理部６２に渡し、表示処理部６２によって画面が表示される。ユーザは、表示された画面を確認し、家電機器の操作を画面を通じて指示すると、入力処理部６３がこれを処理して操作情報として情報通信処理部６１および情報通信処理部５２を通じて、電文処理部５１に要求を出す。電文処理部５１は、ユーザが要求した家電機器の操作情報を電文記憶部５３に渡し、図１５に示す家電機器操作情報１４０１として電文記憶部５３が保存する。コントローラ１の情報通信処理部１４は定期的に情報通信処理部５２を通じて電文処理部５１にコントローラ１宛ての操作情報がないかを確認するための要求を出す。要求を受けた電文処理部５１は、電文記憶部５３に対して該当情報がないかを確認し、その結果該当情報があれば家電機器操作情報１４０１を読み出し、情報通信処理部５２，情報通信処理部１４を通じて、信号処理部１２に渡す。信号処理部１２は、家電通信処理部１３および家電通信処理部３２を通じて、機器制御処理部３２に要求を出す。機器制御処理部３２は受け取った家電機器操作情報に基づいて、家電機器を制御する。
【００２０】
本実施例では、携帯電話６を遠隔操作用端末として用いたが、インターネットに接続可能な端末であれば何でも良く、パソコン，セットトップボックス，ゲーム機，インターネット対応テレビなどインターネット端末としての機能を備えていれば利用可能である。
【００２１】
本実施例でコントローラ１は、表示画面を備えていない。そのため様々な機器設定を行うには、パソコン４を用いている。パソコン４はＬＡＮでコントローラ１と通信することができ、パソコン４の操作によってコントローラ１の機器設定状態を変更することができる。
【００２２】
図３および図１６のフロー１５０を用いて機器設定の変更手順を説明する。
【００２３】
パソコン４には、設定変更部４１，情報通信処理部４２および入出力処理部４３が含まれる。コントローラ１には、設定記憶部１１，信号処理部１２および情報通信処理部１４が含まれる。
【００２４】
ユーザがパソコン４を操作して、設定変更プログラムを起動すると、設定変更部４１が情報通信処理部４２およびコントローラ１の情報通信処理部１４，信号処理部１２を通じて設定記憶部１１に保存されている制御信号対応情報５０１が読み出され（Ｓ１５０１）、設定変更画面に変換されてパソコン４に入出力処理部４３を通じて表示される（Ｓ１５０２）。ユーザが入出力処理部４３を通じて設定変更画面に変更を加えて更新を行うと（Ｓ１５０３）、設定変更部４１は、更新情報を情報通信処理部４２およびコントローラ１の情報通信処理部１４を通じて信号処理部１２に渡す（Ｓ１５０４）。信号処理部１２は、受け取った更新情報に基づいて設定記憶部１１に保存されている制御信号対応情報５０１を更新する（Ｓ１５０５）。
【００２５】
また、コントローラ１に設定されているのが、図７に示すような制御信号対応情報７０１であったとすると、ユーザがサブコントローラ２のボタンを押したとき、家電機器３が制御されるのではなく、センタサーバ５を通じて携帯電話６にメールなどで通知することができる。図７の例では、サブコントローラのボタンを押すと、「至急うちまできてください」というメールが「宛先１」に送られ、エアコンが異常停止をすると、これが「宛先２」に通知され、センサが信号を検知すると、「侵入者を検知しました」というメールが「宛先３」に送られる。
【００２６】
以上の手順を図６を用いて説明する。
【００２７】
ユーザがサブコントローラ２のボタン７を押すと、入力処理部２１が、家電通信処理部２２およびコントローラ１の家電通信処理部１３を通じて、信号処理部１２にボタン押下の信号を通知する。また、家電機器３の機器状態判定部３３は、機器制御処理部３１から機器制御状態情報を受け取って、家電機器３の状態を判定し、判定内容に応じた判定情報を家電通信処理部３２およびコントローラ１の家電通信処理部１３を通じて、信号処理部１２に通知する。家電機器３であるエアコンが異常停止したならば、異常状態と判定して、エラー通知を出力する。また、センサが信号を検知すれば、検知した信号を出力する。信号処理部１２は、設定記憶部１１から制御信号対応情報７０１および通知先情報７０２を読み出し、関係する内容を参照して、「宛先１」に対するメール処理を、情報通信処理部１４およびセンタサーバ５の情報通信処理部５２を通じて、電文処理部５１に依頼する。電文処理部５１はメールを作成し、このメールを情報通信処理部５２および携帯電話６の情報通信処理部６１を通じで通知する。携帯電話６では、ユーザが表示処理部６２を通じてメールを参照する。
【００２８】
図８は、異なるユーザが携帯電話を用いて各々の利用する家電機器をネットワーク経由で操作する場合のシステム構成である。ユーザＡは、携帯電話６ａを利用してセンタサーバ５と通信し、コントローラ１ａを通じて家電機器３ａを操作する。ユーザＢは、携帯電話６ｂを利用してセンタサーバ５と通信し、コントローラ１ｂを通じて家電機器３ｂを操作する。
【００２９】
センタサーバ５には、図９に示すユーザ家電機器操作指令情報９０１，ユーザ家電機器設置場所情報９０２，近隣ユーザ情報９０３と、図１０に示す家電機器通信混雑度情報９０４が保存されている。ユーザ家電機器操作指令情報９０１は、ユーザが携帯電話６を用いて設定した家電機器３の操作情報である。ユーザ家電機器設置場所情報９０２は、ユーザの自宅など家電機器３を設置している場所情報であり、近隣ユーザ情報９０３は、同じネットワークシステムを利用・設置しているユーザのリストである。家電機器通信混雑度情報９０４は、ユーザ利用する家電機器３のネットワークの通信頻度を数値化したもので、この数値によって通信がどの程度混雑しているを判断することができる。
【００３０】
図８に示すユーザＡ，ユーザＢが、ユーザ家電機器操作指令情報９０１に示すように同じ時刻に家電機器が動作するように操作設定をしており、かつユーザ家電機器設置場所情報９０２に示すように物理的に近隣に設置されているとする。
このとき、ユーザＡ，ユーザＢが指定したとおりに家電機器を操作すると、近隣にあるため通信衝突が起こる可能性が高くなる。そこで、センタサーバ５は、あらかじめ設定されている家電機器通信混雑度情報９０４を参照し、混雑度が小さいユーザＡを優先し、ユーザＢの優先度を下げて、ユーザＢに関するユーザ家電機器操作指令情報９０１を書き換えて、時刻を例えば「１７：００」から「１７：０１」に変更する。混雑度が小さいユーザを優先することで、通信混雑の可能性を低くできる。仮に混雑度が多いユーザを優先すると、混雑していて通信に失敗した場合、他のユーザも通信できない可能性が高くなるためである。また、ユーザＡを優先させて、結果として通信に失敗した場合は、センタサーバ５がコントローラ１ａから通信失敗の通知を受けて、他ユーザを含めた操作設定の再スケジュールを行う。例えば、通信に失敗したユーザＡは、優先度を下げて、ユーザＢの通信の後にすることにし、操作時刻を「１７：０２」などに変更する。混雑度は、ユーザが利用する家電機器ネットワークの通信頻度と通信の成功・失敗回数などの履歴情報によって計算する。通信頻度が高いほど、通信の失敗回数が多いほど混雑度は高くなる。このような処理は、センタサーバ５が自身に記憶しているプログラム等の処理によって自動的に行うこととする。
【００３１】
コントローラ１がユーザの操作内容や家電機器の状態変化をセンタサーバ５に通知し、通知された状態変化の情報をセンタサーバ５が自身の記憶部に保存することで、ユーザが家電機器の利用状況を履歴として参照できるようになる。また、あらかじめ設定した条件にしたがって、家電機器の利用状況から異常を検知し、ユーザに通知することもできる。異常を検知する条件は、ユーザが設定することができる。
【００３２】
以上の動作を示した図１８（ａ）のフロー１７０，図１８（ｂ）のフロー１７１，図１９のフロー１８０，図２１のフロー２００を、図１１，図１７，図２０を参照して説明する。
【００３３】
まず図１８（ａ）のフローについて説明する。ユーザがサブコントローラ２のボタン７を押すと、入力処理部２１が、家電通信処理部２２およびコントローラ１の家電通信処理部１３を通じて、信号処理部１２にボタン押下の信号を通知する。信号処理部１２は、設定記憶部１１から制御信号対応情報５０１を読み出し、対応する家電機器３の制御を行う。また、信号処理部１２は、家電機器３を制御した結果、機器状態通知処理部３４から家電通信処理部３２および家電通信処理部１３を通じて、機器状態変化情報が信号処理部１２に通知される。信号処理部１２は、この機器状態変化情報を情報通信処理部１４および情報通信処理部５２を通じて、一覧情報作成部５６に渡す（Ｓ１７０１，Ｓ１７０２）。機器状態変化情報は、図１１における機器状態変化一覧情報１００１の各行に相当する情報である。一覧情報作成部５３では、家電機器３が操作されるごとに通知される機器状態変化情報を収集し、各ユーザ，各コントローラごとに集計して機器状態変化一覧情報１００１を作成し、一覧情報記憶部５４に保存する（Ｓ１７０３）。
【００３４】
次に、図１８（ｂ）のフローについて説明する。ユーザが携帯電話６を用いて、センタサーバ５に一覧情報の閲覧を、入力処理部６３，情報通信処理部６１および情報通信処理部５２を通じて、一覧情報作成部５３に要求する（Ｓ１７１１）。一覧情報作成部５３は、要求された情報を一覧情報記憶部５４から読み出して（Ｓ１７１２）、携帯電話６に通知する（Ｓ１７１３）。携帯電話６では、一覧情報を表示処理部６２によって画面に表示する（Ｓ１７１４）。
【００３５】
次に、図１９のフローについて説明する。異常情報処理部５５が一覧情報記憶部５４から機器状態変化情報を読み出し（Ｓ１８０１）、異常情報処理部５５に保持している異常検知条件情報１９０１を参照し、現在の家電機器の状態が以上でないかどうかを判定する。例えば、この例では「検知フラグ」が「有効」となっている条件のみが参照され、「窓センサ」が「開放」状態になると、異常と判断し、異常検知情報を作成する（Ｓ１８０２）。異常検知情報は、電文処理部５１に渡され、電文処理部５１ではこれに基づいて異常検知通知のメールを作成する。作成されたメールは、情報通信処理部５２，情報通信処理部６１を通じて、表示処理部６２によって携帯電話６に表示され、ユーザが異常検知通知を参照することができる（Ｓ１８０３）。
【００３６】
次に、図２１のフローについて説明する。ユーザが携帯電話６を用いて、センタサーバ５に異常検知条件の閲覧を、入力処理部６３，情報通信処理部６１および情報通信処理部５２を通じて、異常情報処理部５５に要求する（Ｓ２００１）。異常情報処理部５５は、要求された異常検知条件を携帯電話６に通知する（Ｓ２００２，Ｓ２００３）。携帯電話６では、異常検知条件を表示処理部６２によって画面に表示する。ユーザは、携帯電話に表示された異常検知条件を参照して、変更設定を行い、変更情報を、入力処理部６３，情報通信処理部６１および情報通信処理部５２を通じて、異常情報処理部５５に送信する（Ｓ２００４）。異常情報処理部５５は、受け取った変更を反映して保存する（Ｓ２００５）。
【００３７】
図１４は、本実施例の家電機器３の別構成である。家電機器本体とは別に設けられた通信装置１３０１によって、家電機器３ｃとコントローラ１が通信できるようになる。通信装置１３０１は、家電通信処理部３２に相当する機能を有しており、家電機器本体にコントローラ１と通信する機能が備わっていなくとも、これを付加することで家電ネットワークシステムへ組み込むことができる。
【００３８】
以上のような本発明の実施の形態の構成によれば、家電機器をネットワークに接続し、制御するためのコントローラの構成を簡易にすることができ、より多くの利用者に利用しやすくなるとともに、従来の利用者になじみのあるインタフェースを提供しながら、複数の家電機器を簡単に制御できるという効果がある。
【００３９】
また、利用者は携帯電話などの普及した端末によって、宅外から家電機器を制御できるという効果がある。
【００４０】
また、利用者に家電機器の利用状況一覧の情報を提供することで、省エネに対する意識付けや異常があった場合の対処を促すという効果がある。
【００４１】
【発明の効果】
本発明によれば、従来より簡易な構成でネットワーク家電システムを提供でき、利用者が簡易な操作によって複数の家電機器を制御できる。
【図面の簡単な説明】
【図１】本発明の一実施例の全体構成を示す模式図である。
【図２】本発明の家電機器制御システムの構成を示す模式図である。
【図３】本発明の家電機器制御システムの構成を示す模式図である。
【図４】本発明の他の実施例である複数の家電機器制御システムの模式図である。
【図５】本発明の家電機器制御データの説明図である。
【図６】本発明の他の実施例の家電機器制御システムの模式図である。
【図７】本発明の家電機器の状態通知のデータの説明図である。
【図８】本発明の他の実施例である家電機器制御システムの模式図である。
【図９】本発明の家電機器の遠隔制御に関するデータの説明図である。
【図１０】本発明の家電機器の遠隔制御に関するデータの説明図である。
【図１１】本発明の家電機器の利用状況通知に関するデータの説明図である。
【図１２】本発明の家電機器の遠隔制御利用時の携帯端末の画面を説明する図である。
【図１３】本発明の家電機器制御システムの模式図である。
【図１４】本発明の他の実施例の家電機器の模式図である。
【図１５】本発明の家電機器操作に関するデータの説明図である。
【図１６】本発明のコントローラ設定手順のフローである。
【図１７】本発明の家電機器制御システムの模式図である。
【図１８】本発明の家電機器の利用状況通知の生成手順のフローである。
【図１９】本発明の家電機器の利用状況異常通知の生成手順のフローである。
【図２０】本発明の家電機器の利用状況異常通知に関するデータの説明図である。
【図２１】本発明の家電機器の利用状況異常検出条件の設定手順のフローである。
【符号の説明】
１…コントローラ、２…サブコントローラ、３…家電機器、４…パソコン、５…センタサーバ、６…携帯電話、７…ボタン。
【図１】
2005051376.tif 000003
【図２】
2005051376.tif 000004
【図３】
2005051376.tif 000005
【図４】
2005051376.tif 000006
【図５】
2005051376.tif 000007
【図６】
2005051376.tif 000008
【図７】
2005051376.tif 000009
【図８】
2005051376.tif 000010
【図９】
2005051376.tif 000011
【図１０】
2005051376.tif 000012
【図１１】
2005051376.tif 000013
【図１２】
2005051376.tif 000014
【図１３】
2005051376.tif 000015
【図１４】
2005051376.tif 000016
【図１５】
2005051376.tif 000017
【図１６】
2005051376.tif 000018
【図１７】
2005051376.tif 000019
【図１８】
2005051376.tif 000020
【図１９】
2005051376.tif 000021
【図２０】
2005051376.tif 000022
【図２１】
2005051376.tif 000023